(57)【要約】【課題】簡単な構成により、光学系における各レンズの面間距離を精度良く規定することができる対物レンズユニットを提供する。【解決手段】対物レンズユニット３２は、観察光学系４５の先端に位配置された第１のレンズ５０と、観察光学系４５の基端に配置された第２のレンズ５１と、先端側に第１のレンズ５０が嵌合されるとともに、基端側に第２のレンズ５１が嵌合される固定枠４６と、固定枠４６内にて観察光学系４５の光軸Ｏの軸直角方向に平行移動可能な外接円直径を有し、第１のレンズ５０の基端面と第２のレンズ５１の先端面とに当接されて第１のレンズ５０と第２のレンズ５１との面間距離を規定する光学部材からなるスペーサ５２と、を有する。【選択図】図３
2018120005.tif 000002
【特許請求の範囲】
【請求項１】
観察光学系の先端に配置された１または２以上のレンズからなる第１のレンズ群と、
前記観察光学系の基端に配置された１または２以上のレンズからなる第２のレンズ群と、
先端側に前記第１のレンズ群が嵌合されるとともに、基端側に前記第２のレンズ群が嵌合される固定枠と、
前記固定枠内にて前記観察光学系の光軸の軸直角方向に平行移動可能な外接円直径を有し、前記第１のレンズ群の基端面と前記第２のレンズ群の先端面とに当接されて前記第１のレンズ群と前記第２のレンズ群との面間距離を規定する光学部材からなるスペーサと、を備えたことを特徴とする対物レンズユニット。
【請求項２】
前記第１のレンズ群と前記スペーサとの間に介装される第１の絞り部材を有し、
前記第１の絞り部材の開口径をφｓ１、前記スペーサの前記外接円直径をφｆ０、前記スペーサの端面の有効直径をφｆ１、前記固定枠における前記スペーサが配置された部分の内径をφａとした場合に、
［（φｆ１／２）−｛（φａ１−φｆ０）／２｝］−（φｓ／２）＞０
の関係が成立することを特徴とする請求項１に記載の対物レンズユニット。
【請求項３】
前記固定枠は、先端側から前記第１のレンズ群が嵌合される第１の嵌合孔部と、前記第１の嵌合孔部の基端側に連通され、基端側から前記第２のレンズ群が嵌合される前記第１の嵌合孔部よりも小径な第２の嵌合孔部と、を有し、
前記スペーサは、前記第２の嵌合孔部の内径よりも小さな前記外接円直径を有し、前記第２の嵌合孔部の内部に配置されていることを特徴とする請求項１に記載の対物レンズユニット。
【請求項４】
前記第１のレンズ群と前記スペーサとの間に介装される第１の絞り部材と、
前記第２のレンズ群と前記スペーサとの間に介装される第２の絞り部材と、を備えたことを特徴とする請求項１に記載の対物レンズユニット。
【請求項５】
前記スペーサは、赤外カットフィルタであることを特徴とする請求項１に記載の対物レンズユニット。
【請求項６】
前記スペーサは、多角柱形状をなすことを特徴とする請求項１に記載の対物レンズユニット。
【発明の詳細な説明】
【技術分野】
【０００１】
本発明は、内視鏡の先端部に配設される小型な対物レンズユニットに関する。
【背景技術】
【０００２】
従来、内視鏡は、医療分野、工業分野等において用いられている。内視鏡には、挿入部の先端部に内視鏡画像を取得するための撮像装置を内蔵した、いわゆる電子式の内視鏡がある。医療分野に用いられる電子式の内視鏡においては、体内に挿入される際の苦痛を軽減するため、挿入部の細径化が望まれている。特に、腎盂・泌尿器用の内視鏡、気管支用の内視鏡、或いは、耳鼻科用の内視鏡等においては、挿入部の外径を数ミリ以下の極細径とすることが望ましい。
【０００３】
このような極細径の内視鏡の先端部に用いられる対物レンズユニットとして、例えば、特許文献１には、第１の保持孔と、第１の保持孔よりも小径な第２の保持孔と、第２の保持孔よりも大径な第３の保持孔と、が先端側から順に設けられたレンズ枠を有し、このレンズ枠の第１の保持孔内に第１の絞り部材と第１のレンズとを先端開口から配置し、第２の保持孔内にスペーサブロックと第２のレンズとを基端開口から配置し、第３の保持孔内に第２の絞り部材と第３のレンズとを配置した対物レンズユニットが開示されている。この特許文献１の技術では、第１のレンズに第１の絞り部材及びスペーサブロックを介して第２のレンズを当接させ、さらに、第２のレンズに第２の絞り部材を介して第３のレンズを当接させることにより、極めて小さいレンズ枠に内向フランジ等を設けることなく、各レンズ等の光軸方向の位置決めを行うことが可能となっている。
【先行技術文献】
【特許文献】
【０００４】
【特許文献１】特開２０１３−１９０４８８号公報
【発明の概要】
【発明が解決しようとする課題】
【０００５】
しかしながら、上述の特許文献１に開示された技術のように、極めて小さい対物レンズユニットでは、各レンズ等の光学部材を加工する際に、光学部材のエッジにバリが発生し易いという問題を有する。このようなバリの発生は、特に、外径が１ミリ以下の光学部材を加工する際に顕著となる。そして、光学部材にバリが発生すると、当該光学部材を保持孔に挿入する際の挿入性が阻害されてしまい、各光学部材の面間を精度良く規定することが困難となる虞がある。
【０００６】
本発明は上記事情に鑑みてなされたもので、簡単な構成により、光学系における各レンズの面間距離を精度良く規定することができる対物レンズユニットを提供することを目的とする。
【課題を解決するための手段】
【０００７】
本発明の一態様による対物レンズユニットは、観察光学系の先端に配置された１または２以上のレンズからなる第１のレンズ群と、前記観察光学系の基端に配置された１または２以上のレンズからなる第２のレンズ群と、先端側に前記第１のレンズ群が嵌合されるとともに、基端側に前記第２のレンズ群が嵌合される固定枠と、前記固定枠内にて前記観察光学系の光軸の軸直角方向に平行移動可能な外接円直径を有し、前記第１のレンズ群の基端面と前記第２のレンズ群の先端面とに当接されて前記第１のレンズ群と前記第２のレンズ群との面間距離を規定する光学部材からなるスペーサと、を備えたものである。
【発明の効果】
【０００８】
本発明の対物レンズユニットによれば、簡単な構成により、光学系における各レンズの面間距離を精度良く規定することができる。
【図面の簡単な説明】
【０００９】
【図１】本発明の一実施形態に係り、内視鏡システムの概略構成図
【図２】同上、撮像ユニットを光軸方向に沿って示す断面図
【図３】同上、対物レンズユニットを光軸方向に沿って示す断面図
【図４】同上、対物レンズユニットの分解斜視図
【図５】同上、対物レンズユニットの入射光路とスペーサとの関係を示す説明図
【図６】同上、対物レンズユニットの入射光路とスペーサとの関係を示す説明図
【図７】同上、保持枠に保持孔を加工する際の説明図
【図８】同上、表面処理が施された保持枠の断面図
【図９】第１の変形例に係り、対物レンズユニットを光軸方向に沿って示す断面図
【図１０】第２の変形例に係り、対物レンズユニットを光軸方向に沿って示す断面図
【図１１】第３の変形例に係り、対物レンズユニットの分解斜視図
【図１２】同上、対物レンズユニットを光軸に対して軸直角方向に沿って示す断面図
【発明を実施するための形態】
【００１０】
以下、図面を参照して本発明の形態を説明する。図面は本発明の一実施形態に係り、図１は内視鏡システムの概略構成図、図２は撮像ユニットを光軸方向に沿って示す断面図、図３は対物レンズユニットを光軸方向に沿って示す断面図、図４は対物レンズユニットの分解斜視図、図５，６は対物レンズユニットの入射光路とスペーサとの関係を示す説明図、図７は保持枠に保持孔を加工する際の説明図、図８は表面処理が施された保持枠の断面図である。
【００１１】
図１に示す内視鏡システム１は、内視鏡２と、光源装置３と、ビデオプロセッサ４と、表示装置５と、を備えて構成されている。
【００１２】
内視鏡２は、挿入部１１と、挿入部１１の基端側に連設される操作部１２と、操作部１２から延出されるユニバーサルケーブル１３と、を備えて構成されている。ここで、本実施形態の内視鏡２は、例えば、腎盂・泌尿器用の内視鏡であり、従って、挿入部１１の外径が数ミリ程度と極めて細径に形成されている。
【００１３】
挿入部１１は、細長で可撓性を有し、操作部１２の先端側に連設されている。この挿入部１１は、先端部２１と、先端部２１の基端側に連接する湾曲部２２と、湾曲部２２の基端側に連設する細長で長尺の管状部材からなる可撓管部２３と、を備えて構成されている。
【００１４】
先端部２１は、挿入部１１の最先端に設けられた硬質部材によって形成され、内部に、後述する撮像ユニット３０等の構造物が収納配置されている。また、先端部２１の前面には、挿入部１１に挿通配置されている処置具挿通チャンネル（不図示）の先端側開口が設けられている。
【００１５】
湾曲部２２は、操作部１２からの所定の操作を受けて、例えば上下２方向に湾曲する２方向湾曲機構を備えて構成されている。
【００１６】
操作部１２は、把持部２４と、湾曲操作レバー２５と、処置具挿通チャンネル（不図示）に連通している処置具挿入口２６と、折れ止部２７と、を有して構成されている。
【００１７】
把持部２４は、使用者等が把持可能な外装部材によって構成され、内部に各種の構造物を内蔵するための空間を備えている。
【００１８】
湾曲操作レバー２５は、操作部１２の基端側に設けられている。この湾曲操作レバー２５は、例えば、図１に示す中立位置に対し、予め設定された上方向（Ｕ方向）或いは下方向（Ｄ方向）に操作されることにより、湾曲部２２を上方向或いは下方向に湾曲動作させることが可能となっている。
【００１９】
ユニバーサルケーブル１３は、挿入部１１及び操作部１２の内部に挿通されている各種信号ケーブルやライトガイドケーブル等が挿通された複合ケーブルによって構成されている。このユニバーサルケーブル１３の延出端部には、光源装置３に対して着脱自在に接続される光源用コネクタ１４が設けられている。
【００２０】
また、光源用コネクタ１４からは、信号ケーブル１５が延出されており、この信号ケーブル１５の延出端には、ビデオプロセッサ４に対して着脱自在に接続される信号用コネクタ１６が設けられている。
【００２１】
光源装置３は、内視鏡２に対して照明光を供給するための光源を備えて構成されている。
【００２２】
ビデオプロセッサ４は、内視鏡２における撮像ユニット３０等の駆動制御を含み、内視鏡システム１の各構成部を統括的に制御する制御回路を備えた制御処理部として機能すると共に、撮像ユニット３０によって取得された映像信号を受けて所定の映像信号処理等を行う信号処理部として機能する。
【００２３】
表示装置５は、撮像ユニット３０によって取得され、ビデオプロセッサ４において処理された映像信号を受けて、体腔内の患部等の画像を表示する。なお、上述した湾曲部２２の上下方向等は、表示装置５に表示される画像の上下方向に対応付けて規定されるものである。
【００２４】
次に、上述の内視鏡２の先端部２１に配設される撮像ユニット３０の構成について、図２を参照して説明する。
【００２５】
図２に示すように、本実施形態の撮像ユニット３０は、撮像素子ユニット３１と、この撮像素子ユニット３１の先端側に連設する対物レンズユニット３２と、を有して構成されている。
【００２６】
撮像素子ユニット３１は、略円筒形状をなす撮像枠３５と、撮像枠３５の基端側内周に保持された第１のカバーガラス３６と、第１のカバーガラス３６の基端面に接着によって固定された第２のカバーガラス３７と、これら第１，第２のカバーガラス３６，３７を介して撮像枠３５に保持された撮像素子３８と、を有して構成されている。なお、撮像枠３５の基端側外周には外装枠４０が嵌合され、この外装枠４０により、撮像素子３８及びこの撮像素子３８に電気的に接続する図示しない回路基板等が保護されている。
【００２７】
図２乃至図４に示すように、対物レンズユニット３２は、観察光学系４５と、この観察光学系４５を保持する固定枠４６と、を有して構成されている。
【００２８】
観察光学系４５は、先端に配置された平凹レンズからなる第１のレンズ５０と、基端に配置された平凸レンズからなる第２のレンズ５１と、これら第１のレンズ５０の基端面と第２のレンズ５１の先端面とに当接する略円柱形状の赤外カットフィルタ（光学部材）からなるスペーサ５２と、を有して構成されている。
【００２９】
すなわち、本実施形態の観察光学系４５は、極めて細径な先端部２１に配置されるものであるため、２つのレンズ（第１，第２のレンズ５０，５１）の光学的なパワーのみによって被写体像を結像する単純な光学系によって主要部が構成されている。
【００３０】
さらに、本実施形態の観察光学系４５は、第１のレンズ５０とスペーサ５２との間に介装されるドーナツ盤状をなす第１の絞り部材５３と、第２のレンズ５１とスペーサ５２との間に介装されるドーナツ盤状をなす第２の絞り部材５４と、を有する。
【００３１】
すなわち、本実施形態において、第１のレンズ５０の基端面は第１の絞り部材５３を介してスペーサ５２に当接され、第２のレンズ５１の先端面は第２の絞り部材５４を介してスペーサ５２に当接されている。ここで、本実施形態において、第１の絞り部材５３は主としてフレアの発生を防止するための機能を有し、第２の絞り部材５４は主として明るさ調整のための機能を有する。
【００３２】
なお、本実施形態の観察光学系４５を構成する各光学部材は、何れも外形寸法（直径）が１ミリ以下となっている。具体的には、各光学部材のうち、例えば、第１のレンズ５０及び第１の絞り部材５３の外径寸法φｌ１が、０．９ミリに設定されている。また、第２のレンズ５１及び第２の絞り部材５４の外径寸法φｌ２が、第１のレンズ５０及び第１の絞り部材５３よりも小径な０．５５ミリに設定されている。さらに、スペーサ５２の外形寸法（外接円直径）φｆ０が、第２のレンズ５１及び第２の絞り部材５４よりも小径な０．５ミリに設定されている。
【００３３】
固定枠４６は、外周部及び内周部に段部を備えた、段付きの略円筒部材によって構成されている。
【００３４】
具体的に説明すると、固定枠４６は、例えば、ステンレス等からなる円柱状の素材を切削することによって形成されるものであり、この固定枠４６の先端側外周には、切削機械のクランプ爪７０（図７参照）等によってクランプすることが可能な太径部６０が形成されている。また、固定枠４６の基端側外周には、撮像枠３５の先端側内周に嵌合可能な細径部６１が形成されている。
【００３５】
一方、固定枠４６の内部には、先端面から基端面へと光軸Ｏ方向に沿って貫通する段付きの貫通孔６２が設けられている。この貫通孔６２は、第１のレンズ５０が嵌合可能な内径寸法を有する第１の嵌合孔部６３と、第２のレンズ５１が嵌合可能な内径寸法を有する第２の嵌合孔部６４と、が光軸Ｏ方向に沿って前後に連設されることによって形成されている。すなわち、第１，第２の嵌合孔部６３，６４は共にストレート孔であり、第２の嵌合孔部６４の内径寸法は、第１の嵌合孔部６３の内径寸法よりも小径に設定されている。
【００３６】
なお、本実施形態の固定枠４６は、例えば、太径部６０の外形寸法φｂが１．１ミリ、光軸方向の長さＬが１．１ミリに設定されている。
【００３７】
この場合において、本実施形態の貫通孔６２は、内径寸法が大小異なる２つの孔部である第１の嵌合孔部６３と第２の嵌合孔部６４のみによって形成されているため、固定枠４６の素材に対する一度のクランプにより、同一方向から加工することが可能である。すなわち、例えば、図７に示すように、貫通孔６２の加工に際し、固定枠４６の素材４６ａは、太径部６０がクランプ爪７０によってクランプされることにより、切削機械にセットされる。そして、固定枠４６の素材４６ａがクランプ爪７０と一体に光軸Ｏ周りに回転させられた状態にて、先端側から挿入されたブレード７１により、第１の嵌合孔部６３と第２の嵌合孔部６４とを加工することが可能である。従って、微小な固定枠４６の素材４６ａを、第１の嵌合孔部６３の加工時と第２の嵌合孔部６４の加工時とで別途クランプし直す必要が無く、第１，第２の嵌合孔部６３，６４の同軸度を高精度に保つことが可能となる。
【００３８】
このように形成された固定枠４６の第１の嵌合孔部６３には、第１のレンズ５０が第１の絞り部材５３とともに、先端側から嵌合され、保持されている。
【００３９】
ここで、第１のレンズ５０は、挿入部１１の先端部２１の端面から外部に露出する部位であるため、内視鏡２を高温で滅菌等する際にも先端部２１からの脱落を防止する必要がある。このため、第１のレンズ５０は、熱に強い半田接合部６６を介して第１の嵌合孔部６３に固定されていることが望ましい。
【００４０】
このような半田接合を行う際は、例えば、図８に示すように、第１の嵌合孔部６３の内周面及び当該第１の観光孔部６３と第２の嵌合孔部６４との間に形成される段部に、半田の付着を容易にするため表面処理が行われる。具体的には、第１の嵌合孔部６３の内周面及び第２の嵌合孔部６４との段部には、「Ｅｐ−Ｆｅ／Ｎｉ，Ａｕ」や「ＳＳＰ−Ｆｅ／Ｃｒ，Ｎｉ，Ａｕ」等の薄膜６６ａがスパッタ等によって形成される。その後、第１の嵌合孔部６３内に第１の絞り部材５３及び第１のレンズ５０が嵌入される。さらに、先端側を上にして固定枠４６が起立された状態において、第１の嵌合孔部６３と第１のレンズ５０との先端側に半田リングが配置される。そして、このように配置された半田リングが炉内で溶融され、第１の嵌合孔部６３と第１のレンズ５０との嵌合部に流れ込むことにより、第１のレンズ５０は第１の嵌合孔部６３に対して強固に固定される。
【００４１】
一方、固定枠４６の第２の嵌合孔部６４には、スペーサ５２が基端側から挿入された後、第２のレンズ５１が第２の絞り部材５４とともに、基端側から嵌入され、保持されている。
【００４２】
これにより、スペーサ５２は、観察光学系４５の光軸Ｏの軸直角方向に平行移動可能な状態にて固定枠４６内（第２の嵌合孔部６４内）に配置されている。そして、スペーサ５２は、先端面が第１の絞り部材５３を介して第１のレンズ５０の基端面に当接され、且つ、基端面が第２の絞り部材５４を介して第２のレンズ５１の先端面に当接されることにより、第１のレンズ５０と第２のレンズ５１との光軸Ｏ方向に沿う面間距離を規定する。
【００４３】
この場合において、対物レンズユニット３２の各部の寸法は、第１の絞り部材５３の開口径をφｓ１、スペーサ５２の外接円直径をφｆ０、スペーサ５２の端面の有効直径をφｆ１、固定枠４６においてスペーサ５２が配置される部位である第２の嵌合孔部６４の内径をφａとした場合に、以下の（１）式の関係が成り立つように設定されている。
【数１】
2018120005.tif 000003
【００４４】
なお、図３に示す対物レンズユニット３２においては、スペーサ５２の端面の有効直径φｆ１が外接円直径をφｆ０と等しいため、上述した（１）式は、以下の（２）式となる。
【数２】
2018120005.tif 000004
【００４５】
そして、上述のように対物レンズユニット３２の各部の相対的な寸法を規定することにより、例えば、図５，６に示すように、第２の嵌合孔部６４内において、光軸Ｏの軸直角方向のいかなる位置にスペーサ５２が平行移動した場合にも、第１のレンズ５０及び第１の絞り部材５３を通過した光線の全てを、スペーサ５２に入射させることが可能となる。すなわち、撮像素子３８に入射する光線が、赤外カットフィルタとしての機能を備えたスペーサ５２を漏れなく通過するよう設定することが可能となる。
【００４６】
なお、迷光対策として、第２の嵌合孔部６４の内周面等にクロム蒸着等を用いたいわゆる黒処理を行うことが好ましいが、本実施形態においては、クロム蒸着等による肉厚の増加を防止するため、当該黒処理は省略されている。
【００４７】
このような実施形態によれば、観察光学系４５の先端に位配置された第１のレンズ５０と、観察光学系４５の基端に配置された第２のレンズ５１と、先端側に第１のレンズ５０が嵌合されるとともに、基端側に第２のレンズ５１が嵌合される固定枠４６と、固定枠４６内にて観察光学系４５の光軸Ｏの軸直角方向に平行移動可能な外接円直径を有し、第１のレンズ５０の基端面と第２のレンズ５１の先端面とに当接されて第１のレンズ５０と第２のレンズ５１との面間距離を規定する光学部材からなるスペーサ５２と、を有することにより、簡単な構成により、観察光学系４５における第１，第２のレンズ５０，５１の面間距離を精度良く規定することができる。
【００４８】
すなわち、固定枠４６との間に所定のクリアランスを確保した状態にて、当該固定枠４６内にスペーサ５２を挿入することにより、加工時にバリの発生を抑制することが困難な極めて小型なスペーサ５２を用いて第１のレンズ５０と第２のレンズ５１との面間距離を規定する場合にも、バリによって挿入性を阻害されることなく固定枠４６内にスペーサ５２を挿入することができ、第１，第２のレンズ５０，５１の面間距離を精度良く規定することができる。
【００４９】
この場合において、対物レンズユニット３２の各部の相対的な寸法が、上述の（１）式に示す関係を満たすことにより、固定枠４６とスペーサ５２との間にクリアランスを設けた場合にも、撮像素子３８に入射する光線が、光学部材であるスペーサ５２を漏れなく通過するよう設定することができる。従って、対物レンズユニット３２における観察光学系４５の光学性能を変化させることなく、スペーサ５２の挿入性を確保して第１，第２のレンズ５０，５１の面間距離を精度良く規定することができる。
【００５０】
ここで、例えば、図９に示すように、スペーサ５２の両端に面取り加工を施すことも可能である。この場合、スペーサ５２の外接円直径φｆ０、及び、スペーサ５２の端面の有効直径φｆ１も含めて上述の（１）式の関係を満たすように設定することにより、上述の実施形態と同様の効果を奏することができる。
【００５１】
また、例えば、図１０に示すように、第１，第２の絞り部材５３，５４を、蒸着や印刷等によって第１，第２のレンズ５０，５１に一体形成することも可能である。
【００５２】
また、例えば、図１０乃至図１２に示すように、スペーサ５２の形状を、円柱形状に代えて四角柱等の多角柱形状とすることも可能である。
【００５３】
このようにスペーサ５２を多角柱形状とすることにより、スペーサ５２の加工が容易となる。特に、四角柱形状とすることにより、微少な光学部材であるスペーサ５２の加工が極めて容易となり、バリ等の発生を効果的に抑制することが可能となる。
【００５４】
なお、本発明は、以上説明した各実施形態に限定されることなく、種々の変形や変更が可能であり、それらも本発明の技術的範囲内である。
【００５５】
例えば、上述の実施形態等においては、対物レンズユニットを腎盂・泌尿器用の内視鏡に適用した一例について説明したが、本発明はこれに限定されるものではなく、例えば、気管支用の内視鏡、或いは、耳鼻科用の内視鏡等の他の内視鏡等に対して適用可能であることは勿論である。
【００５６】
また、上述の実施形態等においては、観察光学系の先端側及び基端側に配置される第１のレンズ５０及び第２のレンズ５１に代えて、２以上のレンズからなる第１のレンズ群及び第２のレンズ群を配置することも可能である。すなわち、本発明は、１または２以上のレンズからなる広義の意味での第１のレンズ群と、１または２以上のレンズからなる広義の意味での第２のレンズ群との面間距離がスペーサを介して規定される対物レンズユニットに対して適用が可能である。
【００５７】
また、例えば、上述の実施形態及び各変形例の構成を適宜組み合わせてもよいことは勿論である。
【符号の説明】
【００５８】
１  …  内視鏡システム
２  …  内視鏡
３  …  光源装置
４  …  ビデオプロセッサ
５  …  表示装置
１１  …  挿入部
１２  …  操作部
１３  …  ユニバーサルケーブル
１４  …  光源用コネクタ
１５  …  信号ケーブル
１６  …  信号用コネクタ
２１  …  先端部
２２  …  湾曲部
２３  …  可撓管部
２４  …  把持部
２５  …  湾曲操作レバー
２６  …  処置具挿入口
２７  …  折れ止部
３０  …  撮像ユニット
３１  …  撮像素子ユニット
３２  …  対物レンズユニット
３５  …  撮像枠
３６  …  第１のカバーガラス
３７  …  第２のカバーガラス
３８  …  撮像素子
４０  …  外装枠
４５  …  観察光学系
４６  …  固定枠
４６ａ  …  固定枠の素材
５０  …  第１のレンズ（第１のレンズ群）
５１  …  第２のレンズ（第２のレンズ群）
５２  …  スペーサ
５３  …  第１の絞り部材
５４  …  第２の絞り部材
６０  …  太径部
６１  …  細径部
６２  …  貫通孔
６３  …  第１の嵌合孔部
６４  …  第２の嵌合孔部
６６  …  半田接合部
６６ａ  …  薄膜
７０  …  クランプ爪
７１  …  ブレード
Ｏ  …  光軸
【図１】
2018120005.tif 000005
【図２】
2018120005.tif 000006
【図３】
2018120005.tif 000007
【図４】
2018120005.tif 000008
【図５】
2018120005.tif 000009
【図６】
2018120005.tif 000010
【図７】
2018120005.tif 000011
【図８】
2018120005.tif 000012
【図９】
2018120005.tif 000013
【図１０】
2018120005.tif 000014
【図１１】
2018120005.tif 000015
【図１２】
2018120005.tif 000016